(57)【要約】【課題】複数人での利用を行うための作業を簡略化して利便性を向上させることのできるネットワーク機器を提供する。【解決手段】ＮＡＳ２は、利用登録用カード２Ａから読み取られた利用登録用情報にしたがって接続してきた電子機器に対して利用登録に必要な登録情報の入力を要求し、この要求に応じて電子機器から入力された登録情報をＨＤＤ３３０に記憶して当該登録情報に対応するユーザの利用登録を行う。ＮＡＳ２は、ＨＤＤ３３０に第一の登録情報が記憶されている状態で、第一の登録情報とは異なる第二の登録情報が電子機器から入力された場合に、第二の登録情報をＨＤＤ３３０に記憶して、第二の登録情報に対応するユーザの利用登録を行い、更に、最初に利用登録したユーザに対しては第一の利用権限を設定し、このユーザよりも後に利用登録したユーザに対しては第一の利用権限よりも制限された第二の利用権限を設定する。【選択図】図６
2018045490.tif 000002
【特許請求の範囲】
【請求項１】
ネットワークを介して電子機器と通信可能かつ利用登録済みのユーザによって利用可能なネットワーク機器であって、
前記ネットワーク機器に対応付けられた情報にしたがって行われた電子機器による接続を検出する検出部と、
前記検出部によって接続が検出された電子機器に対してユーザの利用登録に必要な登録情報の入力を要求する入力要求部と、
前記入力要求部によって行われた要求に応じて前記電子機器から入力された登録情報を記憶部に記憶して当該登録情報に対応するユーザの利用登録を行う登録部と、を備え、
前記登録部は、最初に利用登録したユーザに対応する第一の登録情報が前記記憶部に記憶されている状態で、前記第一の登録情報とは異なる第二の登録情報が前記要求に応じて電子機器から入力された場合に、前記第二の登録情報を前記記憶部に記憶して、前記第二の登録情報に対応するユーザの利用登録を行い、
更に、前記登録部は、前記最初に利用登録したユーザに対しては第一の利用権限を設定し、前記ユーザよりも後に利用登録したユーザに対しては前記第一の利用権限よりも制限された第二の利用権限を設定するネットワーク機器。
【請求項２】
請求項１記載のネットワーク機器であって、
前記第一の利用権限は前記第二の利用権限を含み、
前記最初に利用登録したユーザからの指示に基づいて、当該ユーザの前記ネットワーク機器に対する利用権限を前記第一の利用権限と前記第二の利用権限との間で切り替える利用権限切替部を更に備えるネットワーク機器。
【請求項３】
請求項２記載のネットワーク機器であって、
前記利用権限切替部は、前記第一の利用権限を設定した状態で、予め定められた条件を満たした場合に、前記ユーザに対する利用権限を前記第二の利用権限に切り替えるネットワーク機器。
【請求項４】
請求項１〜３のいずれか１項記載のネットワーク機器であって、
前記ネットワーク機器に対応付けられた前記情報は、予め定められた初期登録情報を含み、
前記ネットワーク機器に対応付けられた前記情報にしたがって接続してきた電子機器から前記初期登録情報を取得する初期登録情報取得部を更に備え、
前記登録部は、前記初期登録情報と同じ内容の情報が前記記憶部に記憶されている状態で、前記電子機器から前記第一の登録情報が入力された場合には、当該第一の登録情報に対応するユーザを前記第一の利用権限を持つユーザとして登録し、前記初期登録情報と同じ内容の情報が前記記憶部に記憶されていない状態で前記電子機器から前記第二の登録情報が入力された場合には、当該第二の登録情報に対応するユーザを前記第二の利用権限を持つユーザとして登録するネットワーク機器。
【請求項５】
請求項１〜４のいずれか１項記載のネットワーク機器であって、
前記ネットワーク機器に対応付けられた前記情報は、前記ネットワーク機器のネットワーク上の場所を特定するための情報と、前記ネットワーク機器への利用登録を行うための接続であることを示す情報と、を含むネットワーク機器。
【請求項６】
請求項１〜５のいずれか１項記載のネットワーク機器であって、
前記ネットワーク機器に対応付けられた前記情報は、前記電子機器によって光学的又は電磁的に読取可能なものであるネットワーク機器。
【請求項７】
請求項２又は３記載のネットワーク機器と通信可能な電子機器であって、
ユーザの前記ネットワーク機器に対する利用権限として前記第一の利用権限が設定されている場合に、前記第一の利用権限にしたがって前記ネットワーク機器を利用する第一のモードと、前記第二の利用権限にしたがって前記ネットワーク機器を利用する第二のモードとを切り替えるための画面を表示部に表示させる表示制御部と、
前記第一のモードと前記第二のモードの切り替えを指示するモード切替情報を前記ネットワーク機器に送信する送信部と、を備え、
前記ネットワーク機器の前記利用権限切替部は、前記モード切替情報に基づいて前記ユーザの利用権限を前記第一の利用権限と前記第二の利用権限との間で切り替える電子機器。
【請求項８】
ネットワークを介して電子機器と通信可能かつ利用登録済みのユーザによって利用可能なネットワーク機器の利用登録方法であって、
前記ネットワーク機器に対応付けられた情報にしたがって行われた電子機器による接続を検出する検出ステップと、
前記検出ステップによって接続が検出された電子機器に対してユーザの利用登録に必要な登録情報の入力を要求する入力要求ステップと、
前記入力要求ステップによって行われた要求に応じて前記電子機器から入力された登録情報を記憶部に記憶して当該登録情報に対応するユーザの利用登録を行う登録ステップと、を備え、
前記登録ステップでは、最初に利用登録したユーザに対応する第一の登録情報が前記記憶部に記憶されている状態で、前記第一の登録情報とは異なる第二の登録情報が前記電子機器から入力された場合に、前記第二の登録情報を前記記憶部に記憶して、前記第二の登録情報に対応するユーザの利用登録を行い、更に、前記最初に利用登録したユーザに対しては第一の利用権限を設定し、前記ユーザよりも後に利用登録したユーザに対しては前記第一の利用権限よりも制限された第二の利用権限を設定するネットワーク機器の利用登録方法。
【請求項９】
請求項２又は３記載のネットワーク機器と通信可能な電子機器の作動方法であって、
前記電子機器のユーザの前記ネットワーク機器に対する利用権限として前記第一の利用権限が設定されている場合に、前記第一の利用権限にしたがって前記ネットワーク機器を利用する第一のモードと、前記第二の利用権限にしたがって前記ネットワーク機器を利用する第二のモードとを切り替えるための画面を表示部に表示させる表示制御ステップと、
前記第一のモードと前記第二のモードの切り替えを指示するモード切替情報を前記ネットワーク機器に送信する送信ステップと、を備え、
前記ネットワーク機器の前記利用権限切替部は、前記モード切替情報に基づいて前記ユーザの利用権限を前記第一の利用権限と前記第二の利用権限との間で切り替える電子機器の作動方法。
【請求項１０】
ネットワークを介して電子機器と通信可能かつ利用登録済みのユーザによって利用可能なネットワーク機器の利用登録プログラムであって、
前記ネットワーク機器に対応付けられた情報にしたがって行われた電子機器による接続を検出する検出ステップと、
前記検出ステップによって接続が検出された電子機器に対してユーザの利用登録に必要な登録情報の入力を要求する入力要求ステップと、
前記入力要求ステップによって行われた要求に応じて前記電子機器から入力された登録情報を記憶部に記憶して当該登録情報に対応するユーザの利用登録を行う登録ステップと、をコンピュータに実行させるためのプログラムであり、
前記登録ステップでは、最初に利用登録したユーザに対応する第一の登録情報が前記記憶部に記憶されている状態で、前記第一の登録情報とは異なる第二の登録情報が前記電子機器から入力された場合に、前記第二の登録情報を前記記憶部に記憶して、前記第二の登録情報に対応するユーザの利用登録を行い、更に、前記最初に利用登録したユーザに対しては第一の利用権限を設定し、前記ユーザよりも後に利用登録したユーザに対しては前記第一の利用権限よりも制限された第二の利用権限を設定するネットワーク機器の利用登録プログラム。
【請求項１１】
請求項２又は３記載のネットワーク機器と通信可能な電子機器の作動プログラムであって、
前記電子機器のユーザの前記ネットワーク機器に対する利用権限として前記第一の利用権限が設定されている場合に、前記第一の利用権限にしたがって前記ネットワーク機器を利用する第一のモードと、前記第二の利用権限にしたがって前記ネットワーク機器を利用する第二のモードとを切り替えるための画面を表示部に表示させる表示制御ステップと、
前記第一のモードと前記第二のモードの切り替えを指示するモード切替情報を前記ネットワーク機器に送信する送信ステップと、をコンピュータに実行させるためのプログラムであり、
前記ネットワーク機器の前記利用権限切替部は、前記モード切替情報に基づいて前記ユーザの利用権限を前記第一の利用権限と前記第二の利用権限との間で切り替える電子機器の作動プログラム。
【発明の詳細な説明】
【技術分野】
【０００１】
本発明は、ネットワーク機器、このネットワーク機器と通信可能な電子機器、このネットワーク機器と通信可能な電子機器の作動方法及びプログラム、ネットワーク機器の利用登録方法及びプログラムに関する。
【背景技術】
【０００２】
ネットワークカメラ又はＮＡＳ（Ｎｅｔｗｏｒｋ  Ａｔｔａｃｈｅｄ  Ｓｔｏｒａｇｅ）等のネットワーク機器を、スマートフォンやタブレット端末等によって利用可能にするためには、ネットワーク機器に対してユーザの利用登録を行う作業が必要である。
【０００３】
特許文献１には、ネットワーク機器に同梱されるＱＲコード（登録商標）がスマートフォンによって読み取られると、ＱＲコードに含まれる情報に基づいてスマートフォンからネットワーク機器への接続が行われると共に、スマートフォンに登録されたユーザ情報によってユーザ認証が行われることで、ネットワーク機器がスマートフォンによって利用可能となるシステムが記載されている。
【先行技術文献】
【特許文献】
【０００４】
【特許文献１】特開２０１４−９９７２０号公報
【発明の概要】
【発明が解決しようとする課題】
【０００５】
特許文献１に記載されたシステムのように、ＱＲコードを用いてネットワーク機器へのアクセスを行うことで、ネットワーク機器の利用開始作業を簡単に行うことができる。
【０００６】
ネットワーク機器としては、ＮＡＳに代表されるように、複数のユーザで利用可能なものがある。複数のユーザによって利用可能なネットワーク機器においては、管理者を設定し、この管理者が他のユーザの利用登録を行う等の管理を行うのが一般的である。
【０００７】
例えば、管理者が、ＱＲコードをスマートフォンで読み取ることで、ネットワーク機器への利用登録を簡単に行う構成が知られている。この構成では、セキュリティの観点から、一度使用されたＱＲコードは使用不可とすることが行われる。
【０００８】
したがって、管理者以外のユーザがネットワーク機器の利用を開始するには、管理者が特別な作業を行う必要があり、管理者以外のユーザがネットワーク機器の利用を気軽に行うことができない。また、管理者自身の手間もかかる。
【０００９】
特許文献１に記載のシステムは、１つのネットワーク機器が複数人のユーザによって使用されることは想定していない。
【００１０】
本発明は、上記事情に鑑みてなされたものであり、複数人での利用を行うための作業を簡略化して利便性を向上させることのできるネットワーク機器、このネットワーク機器と通信可能な電子機器、このネットワーク機器と通信可能な電子機器の作動方法及びプログラム、ネットワーク機器の利用登録方法及びプログラム提供することを目的とする。
【課題を解決するための手段】
【００１１】
本発明のネットワーク機器は、ネットワークを介して電子機器と通信可能かつ利用登録済みのユーザによって利用可能なネットワーク機器であって、前記ネットワーク機器に対応付けられた情報にしたがって行われた電子機器による接続を検出する検出部と、前記検出部によって接続が検出された電子機器に対してユーザの利用登録に必要な登録情報の入力を要求する入力要求部と、前記入力要求部によって行われた要求に応じて前記電子機器から入力された登録情報を記憶部に記憶して当該登録情報に対応するユーザの利用登録を行う登録部と、を備え、前記登録部は、最初に利用登録したユーザに対応する第一の登録情報が前記記憶部に記憶されている状態で、前記第一の登録情報とは異なる第二の登録情報が前記要求に応じて電子機器から入力された場合に、前記第二の登録情報を前記記憶部に記憶して、前記第二の登録情報に対応するユーザの利用登録を行い、更に、前記登録部は、前記最初に利用登録したユーザに対しては第一の利用権限を設定し、前記ユーザよりも後に利用登録したユーザに対しては前記第一の利用権限よりも制限された第二の利用権限を設定するものである。
【００１２】
本発明のネットワーク機器の利用登録方法は、ネットワークを介して電子機器と通信可能かつ利用登録済みのユーザによって利用可能なネットワーク機器の利用登録方法であって、前記ネットワーク機器に対応付けられた情報にしたがって行われた電子機器による接続を検出する検出ステップと、前記検出ステップによって接続が検出された電子機器に対してユーザの利用登録に必要な登録情報の入力を要求する入力要求ステップと、前記入力要求ステップによって行われた要求に応じて前記電子機器から入力された登録情報を記憶部に記憶して当該登録情報に対応するユーザの利用登録を行う登録ステップと、を備え、前記登録ステップでは、最初に利用登録したユーザに対応する第一の登録情報が前記記憶部に記憶されている状態で、前記第一の登録情報とは異なる第二の登録情報が前記電子機器から入力された場合に、前記第二の登録情報を前記記憶部に記憶して、前記第二の登録情報に対応するユーザの利用登録を行い、更に、前記最初に利用登録したユーザに対しては第一の利用権限を設定し、前記ユーザよりも後に利用登録したユーザに対しては前記第一の利用権限よりも制限された第二の利用権限を設定するものである。
【００１３】
本発明のネットワーク機器の利用登録プログラムは、ネットワークを介して電子機器と通信可能かつ利用登録済みのユーザの電子機器によって利用可能なネットワーク機器の利用登録プログラムであって、前記ネットワーク機器に対応付けられた情報にしたがって行われた電子機器による接続を検出する検出ステップと、前記検出ステップによって接続が検出された電子機器に対してユーザの利用登録に必要な登録情報の入力を要求する入力要求ステップと、前記入力要求ステップによって行われた要求に応じて前記電子機器から入力された登録情報を記憶部に記憶して当該登録情報に対応するユーザの利用登録を行う登録ステップと、をコンピュータに実行させるためのプログラムであり、前記登録ステップでは、最初に利用登録したユーザに対応する第一の登録情報が前記記憶部に記憶されている状態で、前記第一の登録情報とは異なる第二の登録情報が前記電子機器から入力された場合に、前記第二の登録情報を前記記憶部に記憶して、前記第二の登録情報に対応するユーザの利用登録を行い、更に、前記最初に利用登録したユーザに対しては第一の利用権限を設定し、前記ユーザよりも後に利用登録したユーザに対しては前記第一の利用権限よりも制限された第二の利用権限を設定するものである。
【発明の効果】
【００１４】
本発明によれば、複数人での利用を行うための作業を簡略化して利便性を向上させることのできるネットワーク機器、このネットワーク機器と通信可能な電子機器、このネットワーク機器と通信可能な電子機器の作動方法及びプログラム、ネットワーク機器の利用登録方法及びプログラムを提供することができる。
【図面の簡単な説明】
【００１５】
【図１】本発明の第一実施形態に係るファイル管理システム１００の概略構成を示す図である。
【図２】図１に示すファイル管理システム１００における第一の電子機器１Ａの内部構成例を示す図である。
【図３】図１に示すファイル管理システム１００におけるＮＡＳ２の内部構成例を示す図である。
【図４】図３に示すＮＡＳ２のＣＰＵ３０の機能ブロック図である。
【図５】図２に示す第一の電子機器１ＡのＣＰＵ２０の機能ブロック図である。
【図６】図１に示すファイル管理システム１００の動作を説明するためのフローチャートである。
【図７】図１に示すファイル管理システム１００におけるＮＡＳ２の利用登録後の動作を説明するためのフローチャートである。
【図８】図７のステップＳ２７の処理で表示される表示画面の一例を示す図である。
【図９】図７のステップＳ２７の処理で表示される表示画面の他の一例を示す図である。
【図１０】ファイル管理システム１００の第一の変形例の動作を説明するためのフローチャートである。
【図１１】ファイル管理システム１００の第四の変形例の動作を説明するためのフローチャートである。
【発明を実施するための形態】
【００１６】
以下、本発明の実施形態について図面を参照して説明する。
【００１７】
図１は、本発明の第一実施形態に係るファイル管理システム１００の概略構成を示す図である。
【００１８】
ファイル管理システム１００は、第一の電子機器１Ａと、第二の電子機器１Ｂと、ネットワーク機器を構成するＮＡＳ２と、ルータ５と、ＤＤＮＳ（Ｄｙｎａｍｉｃ  Ｄｏｍａｉｎ  Ｎａｍｅ  Ｓｙｓｔｅｍ）サービスを提供するＤＤＮＳサーバ７と、を備える。
【００１９】
ＮＡＳ２は、企業、学校、又は、個人宅内等で使用される限定されたネットワークであるＬＡＮ（Ｌｏｃａｌ  Ａｒｅａ  Ｎｅｔｗｏｒｋ）３に接続されている。
【００２０】
ＮＡＳ２は、ファイルの記憶及び管理を主に行うファイルサーバであり、ファイル管理を行うためのファイルシステムと、ネットワーク通信を行うためのネットワーク通信機能と、を備える。
【００２１】
ＬＡＮ３は、ルータ５を介してインターネット６に接続されている。これにより、ＮＡＳ２にはインターネット６を介して接続可能となっている。
【００２２】
第一の電子機器１Ａと第二の電子機器１Ｂは、それぞれ、移動体通信網４を介してインターネット６に接続可能である。
【００２３】
第一の電子機器１Ａと第二の電子機器１Ｂは、それぞれ、ネットワーク通信を行うためのネットワーク通信機能と、表示部と、キーボード、マウス、又は、タッチパネル等の操作インタフェース（Ｉ／Ｆ）と、を有する電子機器である。
【００２４】
本明細書における電子機器としては、例えばパーソナルコンピュータ、タブレット端末、又は、スマートフォン等が用いられる。
【００２５】
第一の電子機器１Ａのユーザと第二の電子機器１Ｂのユーザは、それぞれ、ＮＡＳ２に対して予め利用登録を行うことで、移動体通信網４、インターネット６、及び、ＬＡＮ３から構成されるネットワークを介して、ＮＡＳ２の利用（ＮＡＳ２に記憶されているファイルの編集、ＮＡＳ２へのファイルの記憶、及び、ＮＡＳ２からのファイルの読み出し等）が可能となる。
【００２６】
第一の電子機器１Ａ及び第二の電子機器１Ｂの各々のユーザが設定するユーザ名及びパスワード等の登録情報は、各電子機器からＮＡＳ２に対して登録作業を行うことでＮＡＳ２内部に記憶される。
【００２７】
この登録情報は、インターネット６に接続された認証用サーバに記憶されてもよい。この場合、各電子機器からＮＡＳ２にアクセスがあると、ＮＡＳ２がこの認証用サーバから各電子機器の登録情報を取得することで、各電子機器の認証を行う。
【００２８】
ＮＡＳ２の製品パッケージには、ＮＡＳ２への利用登録を行うために用いられる利用登録用カード２Ａが同梱される。ＮＡＳ２の製造メーカにより、ＮＡＳ２と利用登録用カード２Ａとは一対一で対応付けて管理される。
【００２９】
利用登録用カード２Ａは、利用登録用情報が光学的に読み取り可能な形で印刷されたカードである。
【００３０】
この利用登録用情報は、ＮＡＳ２のＬＡＮ３及びインターネット６を含むネットワーク上の場所を特定するための接続情報と、利用登録を行うためのＮＡＳ２への接続であることを示すアクセス事由情報と、初期登録情報と、を含む。
【００３１】
接続情報は、例えばＤＤＮＳサーバ７のＩＰアドレス情報及びＮＡＳ２の名称を含む。
【００３２】
初期登録情報は、予め定められているユーザＩＤ及びパスワードを含む。例えば、初期登録情報のユーザＩＤは“１２３４”であり、パスワードは“ＡＢＣＤ”である。
【００３３】
利用登録用カード２Ａは、例えば、利用登録用情報を示すバーコード又は二次元コードが印刷された印刷物が用いられる。したがって、バーコード又は二次元コードをカメラ等によって読み取り可能な電子機器であれば、利用登録用カード２Ａから利用登録用情報を光学的に読み取ることができる。
【００３４】
利用登録用カード２Ａは、ＮＡＳ２の製品パッケージに同梱されるものとしたが、これに限らない。例えば、ＮＡＳ２の購入者が、ＮＡＳ２に付与されているシリアルナンバー等をＮＡＳ２の製造者の管理するサーバに送信する。そして、購入者は、このサーバから、利用登録用情報を示すバーコード又は二次元コードをダウンロードしてもよい。
【００３５】
この場合は、購入者が、ダウンロードしたバーコード又は二次元コードを紙に印刷したり、電子機器の表示部に表示させたりすることで、利用登録用情報を光学的に読み取り可能な状態を得ることができる。
【００３６】
なお、利用登録用カード２Ａは、利用登録用情報を記憶する無線タグが埋め込まれたカードが用いられてもよい。または、ＮＡＳ２の筐体の任意の箇所に、利用登録用情報を記憶した無線タグが固定される構成（つまり利用登録用カード２ＡとＮＡＳ２とが一体化された構成）であってもよい。
【００３７】
これらの場合には、無線タグリーダを内蔵する電子機器であれば、利用登録用カード２Ａから利用登録用情報を電磁的に読み取ることができる。
【００３８】
ＤＤＮＳサーバ７は、インターネット６に接続されており、ルータ５に対して割り当てられたグローバルＩＰアドレスと、ルータ５に接続されたＮＡＳ２にアクセスするためのポート番号と、ＮＡＳ２に固有の名称との対応関係を逐次更新しながら記憶する。
【００３９】
ＤＤＮＳサーバ７は、第一の電子機器１Ａ又は第二の電子機器１Ｂからの要求に応じて、ＮＡＳ２の名称に対応するグローバルＩＰアドレスとポート番号を要求元に返信する。第一の電子機器１Ａ又は第二の電子機器１ＢはこのグローバルＩＰアドレスとポート番号を用いることで、インターネット６を介したＮＡＳ２へのアクセスが可能となる。
【００４０】
図２は、図１に示すファイル管理システム１００における第一の電子機器１Ａの内部構成例を示す図である。第二の電子機器１Ｂの内部構成については、第一の電子機器１Ａと同様であるため説明を省略する。
【００４１】
第一の電子機器１Ａは、ＣＰＵ（Ｃｅｎｔｒａｌ  Ｐｒｏｃｅｓｓｉｎｇ  Ｕｎｉｔ）２０と、ＲＯＭ（Ｒｅａｄ  Ｏｎｌｙ  Ｍｅｍｏｒｙ）２１と、ＲＡＭ（Ｒａｎｄｏｍ  Ａｃｃｅｓｓ  Ｍｅｍｏｒｙ）２２と、液晶ドライバ２３０と、液晶パネル２３１と、無線ＬＡＮモジュール２４０と、アンテナ２４１と、移動体通信モジュール２５０と、アンテナ２５１と、キーボード、マウス、又は、液晶パネル２３１と一体化されたタッチパネル等の操作インタフェース（Ｉ／Ｆ）２６０と、情報読取部２５と、内部ストレージ部２７と、を備える。
【００４２】
ＣＰＵ２０、ＲＯＭ２１、ＲＡＭ２２、液晶ドライバ２３０、無線ＬＡＮモジュール２４０、移動体通信モジュール２５０、操作インタフェース２６０、情報読取部２５、及び、内部ストレージ部２７は、それぞれ共通のバスにより接続されている。
【００４３】
ＣＰＵ２０は、ＲＯＭ２１内に記憶されたファームウェア等のプログラムがＲＡＭ２２において展開された後で実行されることで、第一の電子機器１Ａ全体の動作制御を行う。
【００４４】
ＲＯＭ２１には、上述のファームウェア等のプログラムと各種設定データが記憶されている。ＲＡＭ２２は、第一の電子機器１Ａのワークメモリとして動作し、各種プログラム及びデータが一時的に記憶される。
【００４５】
液晶パネル２３１は、情報を表示するための表示部である。液晶ドライバ２３０は、表示画面を構成するデータがＣＰＵ２０から供給されると、液晶パネル２３１の表示領域に所望の表示画面を表示するように、この液晶パネル２３１を駆動する。
【００４６】
無線ＬＡＮモジュール２４０は、無線通信を行うためのモジュールである。
【００４７】
無線ＬＡＮモジュール２４０は、例えばＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１規格に準拠したものである。無線ＬＡＮモジュール２４０がアンテナ２４１を介してルータ５との間で無線通信を行うことで、第一の電子機器１Ａが移動体通信網４及びインターネット６を経由することなく、ＬＡＮ３に接続可能となる。
【００４８】
移動体通信モジュール２５０は、例えばＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−２０００規格に準拠して、アンテナ２５１を介して移動体通信網４との間で移動体無線通信を行う。
【００４９】
移動体通信モジュール２５０が対応する規格には、３Ｇ／ＨＳＤＰＡ（３ｒｄ  Ｇｅｎｅｒａｔｉｏｎ／Ｈｉｇｈ−Ｓｐｅｅｄ  Ｄｏｗｎｌｉｎｋ  Ｐａｃｋｅｔ  Ａｃｃｅｓｓ）、ＬＴＥ（Ｌｏｎｇ  Ｔｅｒｍ  Ｅｖｏｌｕｔｉｏｎ）、又は、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）等が含まれうる。
【００５０】
情報読取部２５は、利用登録用カード２Ａから光学的又は電磁的に利用登録用情報を読み取るための装置である。
【００５１】
利用登録用カード２Ａが上述した印刷物である場合には、バーコード又は二次元コードを読み取るためのカメラが情報読取部２５として用いられる。また、利用登録用カード２Ａが無線タグを含むものである場合には、無線タグリーダが情報読取部２５として用いられる。
【００５２】
内部ストレージ部２７は、内部ストレージ２７０と内部ストレージインタフェース（Ｉ／Ｆ）２７１とを備える。
【００５３】
内部ストレージ２７０は、例えばフラッシュメモリのような不揮発性半導体メモリであり、第一の電子機器１Ａにおいて用いられるアプリケーションプログラム、文書ファイル、音ファイル、画像ファイル、又は、動画ファイル等の各種ファイルが記憶される。
【００５４】
内部ストレージ２７０には、第一の電子機器１Ａのユーザの操作により、ＮＡＳ２の利用登録の支援及びＮＡＳ２の利用を行うためのプログラム（以下、ファイル管理アプリという）が記憶される。ファイル管理アプリは、電子機器の作動プログラムを含む。
【００５５】
第一の電子機器１Ａは、このファイル管理アプリの機能により、情報読取部２５によって読み取られた利用登録用情報に含まれる接続情報にしたがってＮＡＳ２に接続し、当該利用登録用情報に含まれるアクセス事由情報及び初期登録情報をＮＡＳ２に送信することで、第一の電子機器１ＡのユーザがＮＡＳ２に対して利用登録を行う作業をサポートする。
【００５６】
内部ストレージインタフェース２７１は、内部ストレージ２７０に対するファイルの読み出し又は書き込み指令があった場合に、内部ストレージ２７０全体の制御を行うと共に、ファイルの読み出し又は書き込み制御を行い、読み出されたファイルを出力する。
【００５７】
なお、内部ストレージ２７０は挿脱可能な不揮発性メモリカードであってもよい。この場合、内部ストレージインタフェース２７１は、このメモリカードが装着されるメモリカードスロットをさらに備える。
【００５８】
図３は、図１に示すファイル管理システム１００におけるＮＡＳ２の内部構成例を示す図である。
【００５９】
ＮＡＳ２は、ＣＰＵ３０と、ＲＯＭ３１と、ＲＡＭ３２と、ＨＤＤ部３３と、有線ＬＡＮモジュール３４と、を備える。
【００６０】
ＣＰＵ３０、ＲＯＭ３１、ＲＡＭ３２、ＨＤＤ部３３、及び、有線ＬＡＮモジュール３４は、それぞれ共通のバスにより接続されている。
【００６１】
ＣＰＵ３０は、ＲＯＭ３１内に記憶されたファームウェア等のプログラムがＲＡＭ３２において展開された後で実行されることで、ＮＡＳ２全体の動作制御を行う。
【００６２】
ＲＯＭ３１には、上述のファームウェア等のプログラムが記憶されている。ＲＡＭ３２は、ＮＡＳ２のワークメモリとして動作し、各種プログラム及びデータが一時的に記憶される。
【００６３】
ＨＤＤ部３３は、ＨＤＤ３３０とＨＤＤインタフェース（Ｉ／Ｆ）３３１とを備える。
【００６４】
ＨＤＤ３３０は、記憶媒体であるディスクと、このディスクの回転を行う回転部と、ディスクに対してデータの読み出し及び書き込みを行うヘッド部とを備える（いずれも不図示）。
【００６５】
ＨＤＤ３３０は記憶部を構成する。なお、ＨＤＤ３３０は、ＮＡＳ２のＣＰＵ３０がアクセス可能な場所にあればよく、ＮＡＳ２の外部に設けられていてもよい。例えば、ＮＡＳ２と無線又は有線によって接続可能に構成されたＨＤＤであってもよい。
【００６６】
ＨＤＤインタフェース３３１は、ＨＤＤ３３０に対するファイルの読み出し又は書き込み指令があった場合に、ＨＤＤ３３０全体の制御を行うと共に、ファイルの読み出し又は書き込み制御を行い、読み出されたファイルを出力する。
【００６７】
ＨＤＤ３３０にはアプリケーションプログラムの他、ＮＡＳ２に利用登録されているユーザの登録情報（ユーザＩＤ及びパスワード）と、ＮＡＳ２に利用登録されている電子機器から送信されてきた文書ファイル、音ファイル、画像ファイル、又は、動画ファイル等の各種ファイルと、が適宜記憶される。
【００６８】
ＮＡＳ２の出荷時には、上記の利用登録用情報に含まれる初期登録情報と同じ内容の情報がＨＤＤ３３０に予め記憶される。
【００６９】
ＨＤＤ３３０には、上述した各種ファイルが記憶される領域を示すフォルダが形成されている。ＮＡＳ２では、フォルダ毎、又は、ファイル毎に、利用登録済みの各電子機器からのアクセス制限を設定することができる。
【００７０】
有線ＬＡＮモジュール３４は、例えばＩＥＥＥ８０２．３規格に準拠して、ルータ５との間で有線による通信を行う。有線ＬＡＮモジュール３４の代わりに、例えばＩＥＥＥ８０２．１１規格に準拠してルータ５との間で無線による通信を行うモジュールを用いてもよい。
【００７１】
図４は、図３に示すＮＡＳ２のＣＰＵ３０の機能ブロック図である。
【００７２】
ＮＡＳ２のＣＰＵ３０は、検出部３０Ａと、初期登録情報取得部３０Ｂと、入力要求部３０Ｃと、登録部３０Ｄと、利用権限切替部３０Ｅと、を備える。
【００７３】
これらの機能ブロックは、ＮＡＳ２のＣＰＵ３０が、ＮＡＳ２のＲＯＭ３１に記憶された利用登録プログラムを含むプログラムを実行することにより形成される。
【００７４】
検出部３０Ａは、ＮＡＳ２に対応する利用登録用カード２Ａから読み取られた利用登録用情報にしたがった電子機器による接続を検出する。
【００７５】
検出部３０Ａは、利用登録用情報に含まれるアクセス事由情報を電子機器から受け取り、このアクセス事由情報を参照することで、当該電子機器が、ＮＡＳ２の利用登録のために接続してきたものであるか否かを判定する。
【００７６】
初期登録情報取得部３０Ｂは、検出部３０Ａによって接続が検出された電子機器から、利用登録用情報に含まれる初期登録情報を取得してＲＡＭ３２に一時記憶する。
【００７７】
入力要求部３０Ｃは、検出部３０Ａによって検出された電子機器に対して、利用登録に必要な登録情報（ユーザＩＤ及びパスワード）の入力を要求する。
【００７８】
登録部３０Ｄは、入力要求部３０Ｃによって行われた要求に応じて電子機器から入力された登録情報をＨＤＤ３３０に記憶することで当該登録情報に対応するユーザの利用登録を行う。
【００７９】
また、登録部３０Ｄは、ＮＡＳ２の利用権限を示す利用権限情報を、当該登録情報と対応付けてＨＤＤ３３０に記憶することで、当該ユーザの利用権限を設定する。
【００８０】
ＮＡＳ２では、複数のユーザの利用登録が可能である。このため、ＨＤＤ３３０には登録情報及び利用権限情報の組み合わせが複数記憶可能である。
【００８１】
このように、複数のユーザの利用登録が行われる場合、登録部３０Ｄは、最初に利用登録したユーザに対しては第一の利用権限を設定し、このユーザよりも後に利用登録したユーザに対しては第一の利用権限よりも制限された第二の利用権限を設定する。最初に利用登録したユーザとは、ＮＡＳ２が工場出荷の状態から、登録部３０ＤがＨＤＤ３３０に最初に記憶した登録情報に対応するユーザのことを言う。
【００８２】
電子機器の利用権限が制限されるとは、この電子機器の利用可能な機能が少なくなることを意味する。
【００８３】
ＮＡＳ２の利用権限とは、ユーザの削除、フォルダの作成、フォルダの削除、ファイルの削除、ＨＤＤ３３０へのファイルの書き込み、ＨＤＤ３３０からのファイルの読み込み、読み込んだファイルの保存、フォルダやファイル毎のアクセス制限の設定、システムの初期化、省電力設定、及び、ＨＤＤ３３０のフォーマット等のＮＡＳ２が有する全ての機能のうちの利用可能な機能の範囲を示している。
【００８４】
上記の第一の利用権限が設定されたユーザは、ＮＡＳ２が有する全ての機能を利用可能である。
【００８５】
上記の第二の利用権限が設定されたユーザは、ＮＡＳ２が有する全ての機能のうちの一部の機能（例えば、アクセス制限のないフォルダへのファイルの書き込みと、当該フォルダからのファイルの読み込みと、読み込んだファイルの保存の機能）を利用可能である。
【００８６】
利用権限切替部３０Ｅは、登録部３０Ｄが最初に利用登録したユーザ（第一の利用権限が設定されているユーザ）の電子機器からの指示（後述するモード切替情報）に基づいて、当該ユーザのＮＡＳ２の利用権限を、第一の利用権限と第二の利用権限との間で切り替える。
【００８７】
図５は、図２に示す第一の電子機器１ＡのＣＰＵ２０の機能ブロック図である。第二の電子機器１ＢのＣＰＵの機能ブロックは図５と同じ構成であるため説明を省略する。
【００８８】
第一の電子機器１ＡのＣＰＵ２０は、接続制御部２０Ａと、表示制御部２０Ｂと、送信部２０Ｃと、を備える。これらの機能ブロックは、第一の電子機器１ＡのＣＰＵ２０が、第一の電子機器１Ａにインストールされた上記のファイル管理アプリを実行することにより形成される。
【００８９】
このファイル管理アプリは、ＮＡＳ２又はインターネット６に接続された別のサーバ等から取得可能となっている。
【００９０】
接続制御部２０Ａは、液晶パネル２３１を用いて、情報読取部２５による利用登録用情報の読み取りを第一の電子機器１Ａのユーザに指示し、この指示にしたがって情報読取部２５により利用登録用情報が読み取られると、この利用登録用情報に含まれる接続情報に基づいて、移動体通信網４及びインターネット６を介してＮＡＳ２に接続する。
【００９１】
表示制御部２０Ｂは、ＮＡＳ２の利用登録や各種操作を行うための表示画面を構成する構成データをＮＡＳ２から受信し、受信した構成データに基づいて表示画面を生成し、この表示画面を液晶パネル２３１に表示させる。
【００９２】
液晶パネル２３１に表示される表示画面には、ユーザＩＤ及びパスワードの入力を要求する画面と、ＮＡＳ２のＨＤＤ３３０のディレクトリ構成を示す画面等が含まれる。
【００９３】
第一の電子機器１ＡのユーザがＮＡＳ２の利用登録を既に行っており、第一の電子機器１ＡのユーザのＮＡＳ２に対する利用権限として第一の利用権限が設定されている場合には、管理者モードとユーザモードとを切り替えるためのモード切替ボタンのデータを含む構成データがＮＡＳ２から送信されてくる。
【００９４】
管理者モードは、第一の利用権限にしたがってＮＡＳ２を利用する第一のモードである。ユーザモードは、第二の利用権限にしたがってＮＡＳ２を利用する第二のモードである。
【００９５】
このモード切替ボタンのデータを含む構成データに基づいて生成される表示画面には、管理者モードとユーザモードの切り替えをＣＰＵ２０に対して指示するためのモード切替ボタンが含まれることになる。この表示画面は、管理者モードとユーザモードの切り替えを行うための画面を構成する。
【００９６】
送信部２０Ｃは、ユーザの操作によってＣＰＵ２０に入力されるユーザＩＤやパスワード等の各種情報と、ファイルの書き込みや読み出し等のＮＡＳ２の操作を指示するコマンド情報と、管理者モードとユーザモードの切り替えを指示するモード切替情報と、をＮＡＳ２に送信する。
【００９７】
次に、第一の電子機器１Ａのユーザと第二の電子機器１ＢのユーザがＮＡＳ２の利用登録を順番に行う場合のファイル管理システム１００の動作について図６を参照しながら説明する。
【００９８】
図６は、図１に示すファイル管理システム１００の動作を説明するためのフローチャートである。以下では、利用登録用カード２Ａが、利用登録用情報を示す二次元コードが印刷されたものとして説明する。
【００９９】
第一の電子機器１Ａのユーザが、第一の電子機器１Ａにインストールされているファイル管理アプリを起動すると、第一の電子機器１Ａの接続制御部２０Ａは、ＮＡＳ２に同梱されていた利用登録用カード２Ａの二次元コードを読み取ることを要求する表示画面を液晶パネル２３１に表示させる。
【０１００】
第一の電子機器１Ａのユーザは、この表示画面にしたがい、情報読取部２５（ここではカメラ）によって利用登録用カード２Ａの二次元コードを撮影する。
【０１０１】
情報読取部２５によって二次元コードが撮影されると、第一の電子機器１Ａの接続制御部２０Ａは、撮影された撮像画像を解析して利用登録用情報をデコードし、この利用登録用情報をＲＡＭ２２に記憶する（ステップＳ１）。
【０１０２】
次に、第一の電子機器１Ａの接続制御部２０Ａは、ＲＡＭ２２に記憶した利用登録用情報に含まれる接続情報に基づいて、移動体通信網４及びインターネット６を介してＮＡＳ２に接続し、ＲＡＭ２２に記憶した利用登録用情報に含まれるアクセス事由情報及び初期登録情報をＮＡＳ２に送信する（ステップＳ２）。
【０１０３】
ＮＡＳ２が第一の電子機器１Ａからアクセス事由情報及び初期登録情報を受信すると、ＮＡＳ２の初期登録情報取得部３０Ｂは、初期登録情報を取得してＲＡＭ３２に記憶する（ステップＳ３）。
【０１０４】
また、ＮＡＳ２の検出部３０Ａは、第一の電子機器１Ａから受信したアクセス事由情報に基づいて、第一の電子機器１Ａが利用登録のために接続してきたことを検出する（ステップＳ４）。
【０１０５】
ステップＳ４の後、ＮＡＳ２の入力要求部３０Ｃは、第一の電子機器１Ａに対して利用登録に必要な登録情報の入力を要求する（ステップＳ５）。具体的には、ＮＡＳ２の入力要求部３０Ｃは、ユーザＩＤとパスワードを入力するための表示画面を構成する構成データを第一の電子機器１Ａに送信する。
【０１０６】
第一の電子機器１Ａの表示制御部２０Ｂは、ＮＡＳ２から受信した構成データに基づいてユーザＩＤとパスワードの入力を要求するための表示画面を生成して液晶パネル２３１に表示させる。
【０１０７】
この表示画面にしたがい、第一の電子機器１ＡのユーザがユーザＩＤとパスワードを入力して確定操作を行い、このユーザＩＤとパスワードが第一の電子機器１Ａによって受け入れられると、（ステップＳ６）、入力されたユーザＩＤとパスワードがＲＡＭ２２に一時記憶される。そして、第一の電子機器１Ａの送信部２０Ｃは、ＲＡＭ２２に記憶されたユーザＩＤとパスワードをＮＡＳ２に送信する（ステップＳ７）。
【０１０８】
ＮＡＳ２の登録部３０Ｄは、第一の電子機器１ＡからユーザＩＤとパスワードを受信すると、これらをＲＡＭ３２に一時記憶する。また、ＮＡＳ２の登録部３０Ｄは、ステップＳ３でＲＡＭ３２に記憶された初期登録情報と同じ内容の情報がＨＤＤ３３０に記憶されているか否かを判定する（ステップＳ８）。
【０１０９】
ＮＡＳ２に対してユーザの利用登録が一度もなされていない状態では、ＮＡＳ２のＨＤＤ３３０には初期登録情報と同じ内容の情報が記憶されている。ここでは第一の電子機器１Ａのユーザが、ＮＡＳ２に利用登録する最初のユーザであるため、ステップＳ８の判定はＹＥＳとなる。
【０１１０】
ステップＳ８の判定がＹＥＳの場合には、ＮＡＳ２の登録部３０Ｄは、ＲＡＭ３２に一時記憶しているユーザＩＤとパスワードを第一の登録情報としてＨＤＤ３３０に記憶して、第一の登録情報に対応するユーザの利用登録を行う。また、ＮＡＳ２の登録部３０Ｄは、第一の利用権限を示す利用権限情報をこの第一の登録情報と対応付けてＨＤＤ３３０に記憶することで、このユーザの利用権限を第一の利用権限に設定する（ステップＳ９）。
【０１１１】
ステップＳ９の後、ＮＡＳ２の登録部３０Ｄは、ＨＤＤ３３０に記憶されていた初期登録情報と同じ内容の情報を削除する（ステップＳ１０）。
【０１１２】
なお、この情報の削除は、ステップＳ９において初期登録情報と同じ内容の情報を第一の登録情報で上書きすることで行ってもよい。また、この情報はステップＳ１０で削除されることなく、以後、ＮＡＳ２が工場出荷時の状態に初期化されるまでは無効として取り扱われるようにしてもよい。この場合、ＮＡＳ２が初期化されると、ＮＡＳ２のＣＰＵ３０は、この情報を有効化する。これにより、ＮＡＳ２が別のユーザに譲渡された場合であっても、この別のユーザは、第一の利用権限による利用登録を行うことが可能となる。
【０１１３】
ステップＳ９の処理で第一の電子機器１Ａのユーザの利用登録が完了すると、ＮＡＳ２のＣＰＵ３０は、利用登録の完了通知を第一の電子機器１Ａに送信する。
【０１１４】
第一の電子機器１ＡのＣＰＵ２０は、この完了通知を受けると、ステップＳ１でＲＡＭ２２に記憶していた利用登録用情報に含まれる接続情報と、ステップＳ６でユーザから入力されてＲＡＭ２２に記憶していた登録情報とを内部ストレージ２７０に記憶する。
【０１１５】
第一の電子機器１Ａのユーザが利用登録を行った後、第二の電子機器１Ｂのユーザが、第二の電子機器１Ｂにインストールされているファイル管理アプリを起動させると、ステップＳ１〜ステップＳ８と同様の処理が第二の電子機器１ＢとＮＡＳ２によって行われる。
【０１１６】
第一の電子機器１Ａのユーザの利用登録が行われた後では、ステップＳ１０の処理が行われているため、ステップＳ８の判定はＮＯとなる。この場合、ＮＡＳ２の登録部３０Ｄは、ステップＳ９及びステップＳ１０の処理は行わずに、ステップＳ１１の処理を行う。
【０１１７】
ステップＳ１１において、ＮＡＳ２の登録部３０Ｄは、ＲＡＭ３２に一時記憶している第二の電子機器１Ｂから受信したユーザＩＤとパスワードを第二の登録情報としてＨＤＤ３３０に記憶して第二の登録情報に対応するユーザの利用登録を行う。また、ＮＡＳ２の登録部３０Ｄは、第二の利用権限を示す利用権限情報をこの第二の登録情報と対応付けてＨＤＤ３３０に記憶することで、このユーザの利用権限を第二の利用権限に設定する。
【０１１８】
ステップＳ１１の処理で第二の電子機器１Ｂのユーザの利用登録が完了すると、ＮＡＳ２のＣＰＵ３０は、利用登録の完了通知を第二の電子機器１Ｂに送信する。
【０１１９】
第二の電子機器１ＢのＣＰＵ２０は、この完了通知を受けると、ステップＳ１でＲＡＭ２２に記憶していた利用登録用情報に含まれる接続情報と、ステップＳ６でユーザから入力されてＲＡＭ２２に記憶していた登録情報とを内部ストレージ２７０に記憶する。
【０１２０】
このようにして２人のユーザの利用登録が完了した後は、第一の電子機器１Ａ又は第二の電子機器１Ｂにおいてファイル管理アプリが起動すると、第一の電子機器１Ａ又は第二の電子機器１ＢのＣＰＵ２０は、内部ストレージ２７０に記憶した接続情報に基づいてＮＡＳ２に接続し、内部ストレージ２７０に記憶した登録情報によってＮＡＳ２にログインする。
【０１２１】
これにより、第一の電子機器１Ａ又は第二の電子機器１ＢによってＮＡＳ２の利用が可能となる。なお、ここでは自動でログインがなされるものとしたが、ユーザが登録情報を手入力することでログインがなされてもよい。
【０１２２】
次に、第一の電子機器１Ａのユーザと第二の電子機器１Ｂのユーザの利用登録が行われた後のファイル管理システム１００の動作について図７を参照しながら説明する。
【０１２３】
図７は、図１に示すファイル管理システム１００におけるＮＡＳ２の利用登録後の動作を説明するためのフローチャートである。
【０１２４】
第一の電子機器１Ａ（又は第二の電子機器１Ｂ）のユーザが、第一の電子機器１Ａ（又は第二の電子機器１Ｂ）にインストールされているファイル管理アプリを起動すると、第一の電子機器１Ａ（又は第二の電子機器１Ｂ）のＣＰＵ２０は、内部ストレージ２７０に記憶されている接続情報に基づいてＮＡＳ２に接続し、内部ストレージ２７０に記憶されている登録情報を用いてＮＡＳ２にログインする（ステップＳ２１）。
【０１２５】
ログインが行われると、ＮＡＳ２の利用権限切替部３０Ｅは、ログインしたユーザに対応する登録情報に対応付けて記憶されている利用権限情報を確認する（ステップＳ２２）。
【０１２６】
ログインしたユーザが第二の電子機器１Ｂのユーザである場合には、利用権限情報が第二の利用権限を示すものとなり（ステップＳ２２：第二）、ＮＡＳ２の利用権限切替部３０Ｅは、ログインしたユーザの利用権限を第二の利用権限に設定する。
【０１２７】
この設定処理により、第二の電子機器１Ｂのユーザは、第二の利用権限にしたがってＮＡＳ２の利用を許可された状態となり（ステップＳ２４）、ログイン中はその設定が継続される。
【０１２８】
ログインしたユーザが第一の電子機器１Ａのユーザである場合には、利用権限情報が第一の利用権限を示すものとなり（ステップＳ２２：第一）、ＮＡＳ２の利用権限切替部３０Ｅは、ログインしたユーザの利用権限を第二の利用権限に設定する。
【０１２９】
この設定処理により、第一の電子機器１Ａのユーザは、第二の利用権限にしたがったＮＡＳ２の利用を許可された状態となる（ステップＳ２３）。
【０１３０】
ステップＳ２３の後、ＮＡＳ２のＣＰＵ３０は、第一の利用権限と第二の利用権限を切り替えるためのモード切替ボタンを含む表示画面を構成する構成データを、第一の電子機器１Ａに送信する（ステップＳ２６）。
【０１３１】
第一の電子機器１Ａの表示制御部２０Ｂは、構成データをＮＡＳ２から受信すると、この構成データに基づく表示画面を液晶パネル２３１に表示させる（ステップＳ２７）。
【０１３２】
図８は、図７のステップＳ２７の処理で表示される表示画面の一例を示す図である。
【０１３３】
図８に示す表示画面は、ＨＤＤ３３０のディレクトリ構成を表示する画面領域８０と、各種メニューを表示する画面領域８１とにより構成されている。画面領域８１には、モード切替ボタン８１ａとモード切替ボタン８１ｂとが表示されている。
【０１３４】
モード切替ボタン８１ａは、第一の利用権限にしたがってＮＡＳ２の利用を行う管理者モードの設定を指示するためのボタンである。
【０１３５】
モード切替ボタン８１ｂは、第二の利用権限にしたがってＮＡＳ２の利用を行うユーザモードの設定を指示するためのボタンである。
【０１３６】
モード切替ボタン８１ａとモード切替ボタン８１ｂは、現在設定中のモードに対応するボタンの外枠が太線で囲まれる等してハイライト表示されるようになっている。
【０１３７】
図８に示す表示画面において、第一の電子機器１Ａのユーザが、モード切替ボタン８１ａを押す操作を行うと、管理者モードへの切替指示が第一の電子機器１ＡのＣＰＵ２０に入力される。
【０１３８】
この切替指示を受けると、第一の電子機器１Ａの表示制御部２０Ｂは、表示画面を例えば図９に示すような表示画面に変更する。図９に示す表示画面では、モード切替ボタン８１ｂのハイライトが解除され、モード切替ボタン８１ａがハイライトされた状態となっている。
【０１３９】
また、第一の電子機器１Ａの送信部２０Ｃは、この切替指示を受けると（ステップＳ２８：ＹＥＳ）、ユーザモードから管理者モードへの切り替え（第二の利用権限から第一の利用権限への切り替え）を指示するモード切替情報をＮＡＳ２に送信する（ステップＳ２９）。
【０１４０】
このモード切替情報を受信したＮＡＳ２の利用権限切替部３０Ｅは、ユーザの利用権限を第一の利用権限に設定する（ステップＳ３０）。
【０１４１】
この設定処理により、第一の電子機器１Ａのユーザは、第一の利用権限にしたがったＮＡＳ２の利用を許可された状態となる。ステップＳ３０の後は、ステップＳ２５に処理が戻る。
【０１４２】
ステップＳ３０において第一の利用権限が設定された状態で、第一の電子機器１Ａのユーザがモード切替ボタン８１ｂを押す操作を行うと、表示画面は図９に示すものから図８に示すものに変化し、ユーザモードへの切替指示が第一の電子機器１ＡのＣＰＵ２０に入力される。
【０１４３】
第一の電子機器１Ａの送信部２０Ｃは、この切替指示を受ける（ステップＳ２８：ＹＥＳ）と、管理者モードからユーザモードへの切り替えを指示するモード切替情報をＮＡＳ２に送信する（ステップＳ２９）。
【０１４４】
このモード切替情報を受信したＮＡＳ２の利用権限切替部３０Ｅは、ステップＳ３０においてユーザの利用権限を第二の利用権限に設定し、ステップＳ２５に処理を戻す。
【０１４５】
以上のように、モード切替ボタン８１ａとモード切替ボタン８１ｂのどちらかが押されると、その押されたボタンに対応するモードへの切り替えを指示するモード切替情報がＮＡＳ２に送信され、指示されたモードにしたがった利用権限がユーザに対して設定されることになる。
【０１４６】
以上のように、ファイル管理システム１００によれば、利用登録のために一度使用された利用登録用カード２Ａが使用不可となることはなく、何度でも利用可能である。このため、複数のユーザがＮＡＳ２の利用登録を行う作業を簡略化することができる。
【０１４７】
また、ファイル管理システム１００によれば、利用登録用カード２Ａを用いて最初に利用登録を行ったユーザには第一の利用権限が設定され、その後に利用登録用カード２Ａを用いて利用登録を行ったユーザには、第一の利用権限よりも制限された第二の利用権限が設定される。
【０１４８】
このように、ＮＡＳ２の管理者であるユーザと、管理者によって管理される被管理者であるユーザとは、それぞれ、自身の利用権限の設定を特に意識することなく、他のユーザと同じ手順で登録作業を行うだけで、管理者又は被管理者としてＮＡＳ２の利用が可能になる。したがって、ＮＡＳ２の管理者となるユーザがＮＡＳに対する知識の少ない場合であっても、ＮＡＳ２の利用を簡単に行うことができる。
【０１４９】
また、ファイル管理システム１００によれば、利用登録時に第一の利用権限が設定されたユーザは、第一の利用権限にしたがったＮＡＳ２の利用だけでなく、第二の利用権限にしたがったＮＡＳ２の利用が可能である。
【０１５０】
このように、ＮＡＳ２の管理者となるユーザからの明示的な切替の指示がない限り、管理者となるユーザが、被管理者となるユーザと同じ立場でＮＡＳ２の利用を行えることで、被管理者が管理者の管理下にあるという心理的な不安を和らげることができる。
【０１５１】
例えば、家族で１台のＮＡＳ２を運用する場合には、管理者である親が基本的にはユーザモードでＮＡＳ２を利用することで、被管理者である子供にとっては、自身の管理している特定のファイルを親によって常時閲覧可能な状態となるのを防ぐことができる。このため、ＮＡＳ２を安心して利用することができる。
【０１５２】
以上の説明では、図７のステップＳ２２において、ログインしたユーザの利用権限情報が第一の利用権限を示すものである場合には、このユーザの利用権限が第二の利用権限に設定されるものとしたが、この処理は省略してもよい。
【０１５３】
この場合は、ＮＡＳ２の利用権限切替部３０Ｅは、ログインしたユーザの利用権限を第一の利用権限に設定する。そして、このユーザからモード切替指示があれば、利用権限を切り替える処理を行えばよい。
【０１５４】
また、以上の説明では、ＮＡＳ２の管理者であるユーザが利用登録を行うと、このユーザに対しては第一の利用権限が設定されるものとしたが、このユーザに対し、第一の利用権限と第二の利用権限を設定するようにしてもよい。
【０１５５】
具体的には、図６のステップＳ９において、ＮＡＳ２の登録部３０Ｄは、第一の利用権限を示す利用権限情報と、第二の利用権限を示す利用権限情報とをこの第一の登録情報と対応付けてＨＤＤ３３０に記憶することで、このユーザの利用権限を第一の利用権限と第二の利用権限に設定する。
【０１５６】
この場合は、ステップＳ２２において利用権限が第一の利用権限と第二の利用権限が設定されているユーザに対してはステップＳ２３とステップＳ２５の処理が行われる。
【０１５７】
そして、ステップＳ２９においてモード切替情報が送信され、ＮＡＳ２がこれを受信すると、ＮＡＳ２の利用権限切替部３０Ｅは、ログイン中の当該ユーザの電子機器に対して表示させている画面の情報を保持し、当該ユーザのログアウト処理を行う。その後、ＮＡＳ２の利用権限切替部３０Ｅは、当該ユーザの再ログイン処理を行い、当該ユーザに対して、再ログイン前に設定していた利用権限とは異なる利用権限を設定する。
【０１５８】
この例では、管理者となるユーザは、見かけ上、２つのアカウントを有することになり、利用権限の切り替えを行う場合にはログアウトと再ログインが行われる。しかし、ログアウト前に画面の情報を保持しておき、再ログイン後はこの情報に基づいて画面表示を再開させることで、管理者となるユーザは、特に意識することなくアカウントの切替を行うことが可能となる。
【０１５９】
次に、ファイル管理システム１００の変形例について説明する。
【０１６０】
（第一の変形例）
第一の変形例では、ＮＡＳ２の登録部３０Ｄが、初期登録情報を用いずに、少なくとも１つの登録情報がＨＤＤ３３０に記憶されているか否かによって、最初に利用登録を行うユーザと、２回目以降に利用登録を行うユーザとを区別する。
【０１６１】
このため、第一の変形例においては、利用登録用情報に初期登録情報が含まれている必要はない。また、ＮＡＳ２の出荷時において、ＨＤＤ３３０には初期登録情報と同じ内容の情報は記憶されていない。
【０１６２】
図１０は、ファイル管理システム１００の第一の変形例の動作を説明するためのフローチャートである。
【０１６３】
図１０に示すフローチャートは、ステップＳ２がステップＳ２ａに変更され、ステップＳ３とステップＳ１０が削除され、ステップＳ８がステップＳ８ａに変更された点を除いては、図６に示すフローチャートと同じである。図１０において図６と同じ処理は同一符号を付して説明を省略する。
【０１６４】
ステップＳ２ａにおいて、第一の電子機器１Ａの接続制御部２０Ａは、ＲＡＭ２２に記憶した利用登録用情報に含まれる接続情報に基づいて、移動体通信網４及びインターネット６を介してＮＡＳ２に接続し、ＲＡＭ２２に記憶した利用登録用情報に含まれるアクセス事由情報をＮＡＳ２に送信する。ステップＳ２ａの後はステップＳ４〜ステップＳ７の処理が行われる。
【０１６５】
ステップＳ７の後のステップＳ８ａにおいて、ＮＡＳ２の登録部３０Ｄは、第一の電子機器１Ａから受信したユーザＩＤとパスワードをＲＡＭ３２に一時記憶する。また、ＮＡＳ２の登録部３０Ｄは、ＨＤＤ３３０に少なくとも１つの登録情報が記憶されているか否かを判定する。
【０１６６】
ＮＡＳ２に対してユーザの利用登録が一度もなされていない状態では、ＮＡＳ２のＨＤＤ３３０には登録情報が１つも記憶されていない。ここでは第一の電子機器１Ａのユーザが、ＮＡＳ２に利用登録する最初のユーザであるため、ステップＳ８ａの判定はＮＯとなる。
【０１６７】
そして、ステップＳ８ａの判定がＮＯの場合には、ステップＳ９の処理が行われる。
【０１６８】
第一の電子機器１Ａのユーザが利用登録を行った後、第二の電子機器１Ｂのユーザが、第二の電子機器１Ｂにインストールされているファイル管理アプリを起動させると、ステップＳ１、ステップＳ２ａ、ステップＳ４〜ステップＳ７、及び、ステップＳ８ａと同様の処理が第二の電子機器１ＢとＮＡＳ２によって行われる。
【０１６９】
第一の電子機器１Ａのユーザの利用登録が行われた後では、ＨＤＤ３３０に登録情報が記憶されているため、ステップＳ８ａの判定はＹＥＳとなる。この場合、ＮＡＳ２の登録部３０Ｄは、ステップＳ９の処理は行わずに、ステップＳ１１の処理を行う。以降のＮＡＳ２の利用時の動作については図７で説明したとおりである。
【０１７０】
以上のように、初期登録情報を用いなくても、初回の利用登録のユーザと、２回目以降の利用登録のユーザとを区別することができ、ユーザ毎に異なる利用権限の設定を行うことができる。
【０１７１】
（第二の変形例）
第二の変形例では、ＮＡＳ２の利用権限切替部３０Ｅが、ログイン中のユーザに第一の利用権限を設定している状態では、予め定められた条件を満たした場合に、このユーザに対する利用権限を第二の利用権限に強制的に設定する点が、上記の実施形態及び第一の変形例とは異なる。
【０１７２】
つまり、ＮＡＳ２の利用権限切替部３０Ｅは、図７に示すフローチャートのステップＳ３０において第一の利用権限を設定した場合には、この第一の利用権限の設定期間中に上記の条件を満たすか否かを判定する。そして、ＮＡＳ２の利用権限切替部３０Ｅは、上記の条件を満たすと判定した場合にはステップＳ２３に処理を戻す。
【０１７３】
上記の条件としては、例えば、以下の［１］〜［３］が設定される。
【０１７４】
［１］第一の利用権限の設定継続時間が予め定められた時間に達すること
［２］第一の電子機器１ＡからＮＡＳ２の操作が一定時間行われないこと
［３］第一の利用権限でのみアクセス可能なフォルダ又はファイルに第一の電子機器１Ａからアクセスがある状態から、第二の利用権限でアクセス可能なフォルダ又はファイルに第一の電子機器１Ａからアクセスがある状態に変化すること
【０１７５】
このように、管理者に対して第一の利用権限での利用が許可された場合でも、上記の条件が満たされた場合には第二の利用権限での利用を許可する状態にすることで、第一の利用権限での利用が許可された状態が長時間継続するのを防ぐことができ、上述した心理的な不安解消の効果を高めることができる。
【０１７６】
（第三の変形例）
第三の変形例では、ＮＡＳ２の利用権限切替部３０Ｅが、ログイン中のユーザに第二の利用権限を設定している状態では、予め定められた切替条件を満たした場合に、このユーザに対する利用権限を第一の利用権限に強制的に設定する点が第二の変形例とは異なる。
【０１７７】
つまり、ＮＡＳ２の利用権限切替部３０Ｅは、図７に示すフローチャートのステップＳ３０において第二の利用権限を設定した場合には、この第二の利用権限の設定期間中に上記の切替条件を満たすか否かを判定する。そして、ＮＡＳ２の利用権限切替部３０Ｅは、上記の切替条件を満たすと判定した場合には、利用権限を第一の利用権限に切り替えてステップＳ２５に処理を戻す。
【０１７８】
上記の切替条件としては、例えば以下の［４］［５］が設定される。
【０１７９】
［４］第二の利用権限でのみアクセス可能なフォルダ又はファイルに第一の電子機器１Ａからアクセスがある状態から、第一の利用権限でアクセス可能なフォルダ又はファイルに第一の電子機器１Ａからアクセスがある状態に変化すること
［５］第二の利用権限でのみアクセス可能なフォルダ又はファイルに第一の電子機器１Ａからアクセスがある状態から、ＮＡＳ２の設定画面に第一の電子機器１Ａからアクセスがある状態に変化すること
【０１８０】
この例では、上記の切替条件が満たされてから、第一の電子機器１Ａが、再び、第二の利用権限でのみアクセス可能なフォルダ又はファイルにアクセスしたり、設定画面にしたがった所定の設定処理が終了したりすると、利用権限が第一の利用権限から第二の利用権限へと戻る構成とするのが好ましい。
【０１８１】
このように、管理者に対して第二の利用権限での利用が許可されている場合でも、上記の切替条件が満たされた場合には第一の利用権限での利用を許可する状態にすることで、管理者が特別な操作をすることなく利用権限の切り替えを行うことができ、利便性を向上させることができる。
【０１８２】
また、第一の利用権限によってＮＡＳ２の設定等の特定の作業を行った場合でも、この作業が終了すると第二の利用権限に自動的に戻ることで、利用権限の切り替え操作が不要となり、利便性を向上させることができる。また、このように第一の利用権限から第二の利用権限へと自動的に切り替えが行われることで、管理者となるユーザが特に意識することなく、被管理者となるユーザと同じ立場でＮＡＳ２の利用を行うことができる。この結果、被管理者が管理者の管理下にあるという心理的な不安を和らげることができる。
【０１８３】
（第四の変形例）
上記の実施形態、第一の変形例、第二の変形例、及び、第三の変形例では、ＮＡＳ２の利用権限として第一の利用権限と第二の利用権限の２つを設定可能としたが、３つ以上の利用権限が設定可能であってもよい。例えば、ＮＡＳ２の登録部３０Ｄは、利用権限として以下に例示した第一の利用権限〜第三の利用権限を設定してもよい。
【０１８４】
第一の利用権限：ＮＡＳ２の全ての機能を利用可能
第二の利用権限：アクセス制限のないフォルダへのファイルの書き込み、当該フォルダからのファイルの削除、当該フォルダからのファイルのダウンロード、及び、当該ファイルの保存のみが可能
第三の利用権限：アクセス制限のないフォルダ内のファイルのダウンロードのみが可能（読取専用）
【０１８５】
ここで、第一の利用権限〜第三の利用権限の関係は、第一の利用権限＞第二の利用権限＞第三の利用権限となる。
【０１８６】
図１１は、ファイル管理システム１００の第四の変形例の動作を説明するためのフローチャートである。
【０１８７】
図１１に示すフローチャートは、ステップＳ４１〜ステップＳ４３が追加された点を除いては、図６に示すフローチャートと同じである。図１１において図６と同じ処理は同一符号を付して説明を省略する。
【０１８８】
ステップＳ８の判定がＮＯの場合、ＮＡＳ２の登録部３０Ｄは、ＣＰＵ３０に内蔵されたカウンタのカウンタ値を１つ増やし（ステップＳ４１）、現在のカウンタ値が予め定められた閾値に達したか否かを判定する（ステップＳ４２）。ここでの閾値は例えば“２”に設定される。
【０１８９】
現在のカウンタ値が上記の閾値（＝２）に達していない場合（ステップＳ４２：ＮＯ）には、ＮＡＳ２の登録部３０Ｄは、ステップＳ１１の処理を行う。
【０１９０】
現在のカウンタ値が上記の閾値（＝２）に達した場合（ステップＳ４２：ＹＥＳ）には、ＮＡＳ２の登録部３０Ｄは、ステップＳ４３の処理を行う。
【０１９１】
ステップＳ４３において、ＮＡＳ２の登録部３０Ｄは、ＲＡＭ３２に一時記憶している電子機器から受信したユーザＩＤとパスワードを第三の登録情報としてＨＤＤ３３０に記憶して登録情報に対応するユーザの利用登録を行う。また、ＮＡＳ２の登録部３０Ｄは、第三の利用権限を示す利用権限情報をこの第三の登録情報と対応付けてＨＤＤ３３０に記憶することで、このユーザの利用権限を第三の利用権限に設定する。
【０１９２】
図１１に示す動作によれば、最初に利用登録を行ったユーザには第一の利用権限を設定し、２回目に利用登録を行ったユーザには第二の利用権限を設定し、３回目以降に利用登録を行ったユーザには第三の利用権限を設定することができる。
【０１９３】
このように、３種類の利用権限をユーザ毎に分けて簡単に設定することができるため、ＮＡＳ２の運用を柔軟かつ簡便に行うことができる。
【０１９４】
ステップＳ４２でカウント値と比較する閾値は、最初の利用登録を行ったユーザ（利用登録時に第一の利用権限が設定されたユーザ）がＮＡＳ２にログインし、任意の数値を設定できるようにしておくことが好ましい。これにより、ＮＡＳ２の運用をより柔軟に行うことができる。
【０１９５】
例えば、両親と子供３人の５人家族で１台のＮＡＳ２を運用する場合には、父親が管理者となって最初に利用登録を行い、その後、ＮＡＳ２にログインして、上記の閾値を“５”に設定する。その後、母親及び子供３人が順次、ＮＡＳ２の利用登録を行うと、母親及び子供３人の各々には第二の利用権限が設定される。
【０１９６】
家族５人の利用登録がなされた状態で、例えば、子供の友人がＮＡＳ２を一時的に使用したいような場合には、この友人が、自身のスマートフォン等と利用登録用カード２Ａを用いて、ＮＡＳ２に利用登録を行う。
【０１９７】
このとき、ＮＡＳ２のＣＰＵ３０の内蔵カウンタのカウント値は“５”になる。このため、ステップＳ４２の判定はＹＥＳとなり、この友人に対しては第三の利用権限が設定される。
【０１９８】
したがって、友人は、ファイルの閲覧のみが可能となり、ＮＡＳ２に記憶されている記録データのセキュリティを確保することができる。
【０１９９】
また、家族５人の利用登録がなされた状態で、例えば、悪意ある第三者が利用登録用カード２Ａを取得し、この利用登録用カード２Ａを利用してＮＡＳ２への利用登録を行った場合には、この第三者には第三の利用権限が設定されることになる。このため、第三者によってＮＡＳ２の記録データが削除されたり、ウィルス等の不正プログラムの書き込みがなされたりするのを防止することができ、ＮＡＳ２のセキュリティを確保することができる。上記の閾値は、管理者が任意のタイミングで変更できるようにしてもよい。このようにすることで、柔軟な運用が可能となる。
【０２００】
ここまで説明してきた実施形態と全ての変形例では、第一の電子機器１Ａや第二の電子機器１Ｂが移動体通信網４及びインターネット６を介してＮＡＳ２に接続するものとしたが、これに限らない。
【０２０１】
第一の電子機器１Ａや第二の電子機器１Ｂは、無線ＬＡＮモジュール２４０とアンテナ２４１によってルータ５を介してＬＡＮ３に接続し、ＬＡＮ３を介してＮＡＳ２に接続してもよい。
【０２０２】
また、ここまで説明してきた実施形態と全ての変形例では、ネットワーク機器としてＮＡＳ２を例にしたが、本発明が適用されるネットワーク機器としては、複数の利用権限をユーザ毎に設定できるものであればよい。例えば、ネットワークカメラ又はルータ等であってもよい。
【０２０３】
また、ここまで説明してきた実施形態と全ての変形例では、第一の電子機器１Ａや第二の電子機器１ＢがＮＡＳ２から構成データを受信し、この構成データに基づいて表示画面を生成して表示させる構成としたが、これに限らない。
【０２０４】
ＮＡＳ２が表示画面のデータを生成して第一の電子機器１Ａや第二の電子機器１Ｂに送信してもよい。
【０２０５】
また、ここまで説明してきた実施形態と全ての変形例では、第一の電子機器１Ａや第二の電子機器１ＢのＣＰＵ２０がファイル管理アプリ内で表示画面を表示するものとしたが、第一の電子機器１Ａや第二の電子機器１Ｂにインストールされているウェブブラウザ内で表示画面の表示を行う構成であってもよい。
【０２０６】
また、ここまで説明してきた実施形態と全ての変形例では、ＨＤＤ３３０に、ＮＡＳ２に利用登録されているユーザの登録情報（ユーザＩＤ及びパスワード）、利用権限情報、及び、初期登録情報が記憶されるものとしたが、これらの情報はＮＡＳ２のＲＯＭ３１に記憶される構成であってもよい。この場合、ＲＯＭ３１は記憶部を構成する。
【０２０７】
以上説明したファイル管理アプリ及び利用登録プログラムは、プログラムをコンピュータが読取可能な一時的でない（ｎｏｎ−ｔｒａｎｓｉｔｏｒｙ）記憶媒体に記憶される。このような「コンピュータ読取可能な記憶媒体」は、たとえば、ＣＤ−ＲＯＭ（Ｃｏｍｐａｃｔ  Ｄｉｓｃ−ＲＯＭ）等の光学媒体や、ＵＳＢメモリ又はメモリカード等の磁気記憶媒体等を含む。また、このようなプログラムを、インターネット６を介したダウンロードによって提供することもできる。
【０２０８】
以上のように本明細書には以下の事項が開示されている。
【０２０９】
（１）  ネットワークを介して電子機器と通信可能かつ利用登録済みのユーザによって利用可能なネットワーク機器であって、前記ネットワーク機器に対応付けられた情報にしたがって行われた電子機器による接続を検出する検出部と、前記検出部によって接続が検出された電子機器に対してユーザの利用登録に必要な登録情報の入力を要求する入力要求部と、前記入力要求部によって行われた要求に応じて前記電子機器から入力された登録情報を記憶部に記憶して当該登録情報に対応するユーザの利用登録を行う登録部と、を備え、前記登録部は、最初に利用登録したユーザに対応する第一の登録情報が前記記憶部に記憶されている状態で、前記第一の登録情報とは異なる第二の登録情報が前記要求に応じて電子機器から入力された場合に、前記第二の登録情報を前記記憶部に記憶して、前記第二の登録情報に対応するユーザの利用登録を行い、更に、前記登録部は、前記最初に利用登録したユーザに対しては第一の利用権限を設定し、前記ユーザよりも後に利用登録したユーザに対しては前記第一の利用権限よりも制限された第二の利用権限を設定するネットワーク機器。
【０２１０】
（２）  （１）記載のネットワーク機器であって、前記第一の利用権限は前記第二の利用権限を含み、前記最初に利用登録したユーザからの指示に基づいて、当該ユーザの前記ネットワーク機器に対する利用権限を前記第一の利用権限と前記第二の利用権限との間で切り替える利用権限切替部を更に備えるネットワーク機器。
【０２１１】
（３）  （２）記載のネットワーク機器であって、前記利用権限切替部は、前記第一の利用権限を設定した状態で、予め定められた条件を満たした場合に、前記ユーザに対する利用権限を前記第二の利用権限に切り替えるネットワーク機器。
【０２１２】
（４）  （１）〜（３）のいずれか１つに記載のネットワーク機器であって、前記ネットワーク機器に対応付けられた前記情報は、予め定められた初期登録情報を含み、前記ネットワーク機器に対応付けられた前記情報にしたがって接続してきた電子機器から前記初期登録情報を取得する初期登録情報取得部を更に備え、前記登録部は、前記初期登録情報と同じ内容の情報が前記記憶部に記憶されている状態で、前記電子機器から前記第一の登録情報が入力された場合には、当該第一の登録情報に対応するユーザを前記第一の利用権限を持つユーザとして登録し、前記初期登録情報と同じ内容の情報が前記記憶部に記憶されていない状態で前記電子機器から前記第二の登録情報が入力された場合には、当該第二の登録情報に対応するユーザを前記第二の利用権限を持つユーザとして登録するネットワーク機器。
【０２１３】
（５）  （１）〜（４）のいずれか１つに記載のネットワーク機器であって、前記ネットワーク機器に対応付けられた前記情報は、前記ネットワーク機器のネットワーク上の場所を特定するための情報と、前記ネットワーク機器への利用登録を行うための接続であることを示す情報と、を含むネットワーク機器。
【０２１４】
（６）  （１）〜（５）のいずれか１つに記載のネットワーク機器であって、前記ネットワーク機器に対応付けられた前記情報は、前記電子機器によって光学的又は電磁的に読取可能なものであるネットワーク機器。
【０２１５】
（７）  （２）又は（３）記載のネットワーク機器と通信可能な電子機器であって、ユーザの前記ネットワーク機器に対する利用権限として前記第一の利用権限が設定されている場合に、前記第一の利用権限にしたがって前記ネットワーク機器を利用する第一のモードと、前記第二の利用権限にしたがって前記ネットワーク機器を利用する第二のモードとを切り替えるための画面を表示部に表示させる表示制御部と、前記第一のモードと前記第二のモードの切り替えを指示するモード切替情報を前記ネットワーク機器に送信する送信部と、を備え、前記ネットワーク機器の前記利用権限切替部は、前記モード切替情報に基づいて前記ユーザの利用権限を前記第一の利用権限と前記第二の利用権限との間で切り替える電子機器。
【０２１６】
（８）  ネットワークを介して電子機器と通信可能かつ利用登録済みのユーザによって利用可能なネットワーク機器の利用登録方法であって、前記ネットワーク機器に対応付けられた情報にしたがって行われた電子機器による接続を検出する検出ステップと、前記検出ステップによって接続が検出された電子機器に対してユーザの利用登録に必要な登録情報の入力を要求する入力要求ステップと、前記入力要求ステップによって行われた要求に応じて前記電子機器から入力された登録情報を記憶部に記憶して当該登録情報に対応するユーザの利用登録を行う登録ステップと、を備え、前記登録ステップでは、最初に利用登録したユーザに対応する第一の登録情報が前記記憶部に記憶されている状態で、前記第一の登録情報とは異なる第二の登録情報が前記電子機器から入力された場合に、前記第二の登録情報を前記記憶部に記憶して、前記第二の登録情報に対応するユーザの利用登録を行い、更に、前記最初に利用登録したユーザに対しては第一の利用権限を設定し、前記ユーザよりも後に利用登録したユーザに対しては前記第一の利用権限よりも制限された第二の利用権限を設定するネットワーク機器の利用登録方法。
【０２１７】
（９）  （２）又は（３）記載のネットワーク機器と通信可能な電子機器の作動方法であって、前記電子機器のユーザの前記ネットワーク機器に対する利用権限として前記第一の利用権限が設定されている場合に、前記第一の利用権限にしたがって前記ネットワーク機器を利用する第一のモードと、前記第二の利用権限にしたがって前記ネットワーク機器を利用する第二のモードとを切り替えるための画面を表示部に表示させる表示制御ステップと、前記第一のモードと前記第二のモードの切り替えを指示するモード切替情報を前記ネットワーク機器に送信する送信ステップと、を備え、前記ネットワーク機器の前記利用権限切替部は、前記モード切替情報に基づいて前記ユーザの利用権限を前記第一の利用権限と前記第二の利用権限との間で切り替える電子機器の作動方法。
【０２１８】
（１０）  ネットワークを介して電子機器と通信可能かつ利用登録済みのユーザの電子機器によって利用可能なネットワーク機器の利用登録プログラムであって、前記ネットワーク機器に対応付けられた情報にしたがって行われた電子機器による接続を検出する検出ステップと、前記検出ステップによって接続が検出された電子機器に対してユーザの利用登録に必要な登録情報の入力を要求する入力要求ステップと、前記入力要求ステップによって行われた要求に応じて前記電子機器から入力された登録情報を記憶部に記憶して当該登録情報に対応するユーザの利用登録を行う登録ステップと、をコンピュータに実行させるためのプログラムであり、前記登録ステップでは、最初に利用登録したユーザに対応する第一の登録情報が前記記憶部に記憶されている状態で、前記第一の登録情報とは異なる第二の登録情報が前記電子機器から入力された場合に、前記第二の登録情報を前記記憶部に記憶して、前記第二の登録情報に対応するユーザの利用登録を行い、更に、前記最初に利用登録したユーザに対しては第一の利用権限を設定し、前記ユーザよりも後に利用登録したユーザに対しては前記第一の利用権限よりも制限された第二の利用権限を設定するネットワーク機器の利用登録プログラム。
【０２１９】
（１１）  （２）又は（３）記載のネットワーク機器と通信可能な電子機器の作動プログラムであって、前記電子機器のユーザの前記ネットワーク機器に対する利用権限として前記第一の利用権限が設定されている場合に、前記第一の利用権限にしたがって前記ネットワーク機器を利用する第一のモードと、前記第二の利用権限にしたがって前記ネットワーク機器を利用する第二のモードとを切り替えるための画面を表示部に表示させる表示制御ステップと、前記第一のモードと前記第二のモードの切り替えを指示するモード切替情報を前記ネットワーク機器に送信する送信ステップと、をコンピュータに実行させるためのプログラムであり、前記ネットワーク機器の前記利用権限切替部は、前記モード切替情報に基づいて前記ユーザの利用権限を前記第一の利用権限と前記第二の利用権限との間で切り替える電子機器の作動プログラム。
【０２２０】
（１２）  ネットワークを介して電子機器と通信可能かつ利用登録済みのユーザによって利用可能なネットワーク機器であって、前記ネットワーク機器に接続された電子機器に対してユーザの利用登録に必要な登録情報の入力を要求する入力要求部と、前記入力要求部によって行われた要求に応じて前記電子機器から入力された登録情報を記憶部に記憶して当該登録情報に対応するユーザの利用登録を行う登録部と、を備え、前記登録部は、最初に利用登録したユーザに対しては第一の利用権限を設定し、前記最初に利用登録したユーザからの指示に基づいて、当該ユーザの前記ネットワーク機器に対する利用権限を前記第一の利用権限と、前記第一の利用権限よりも制限された第二の利用権限との間で切り替える利用権限切替部をさらに備えるネットワーク機器。
【符号の説明】
【０２２１】
１００  ファイル管理システム
１Ａ  第一の電子機器
１Ｂ  第二の電子機器
２  ＮＡＳ
２Ａ  利用登録用カード
３  ＬＡＮ
５  ルータ
６  インターネット
７  ＤＤＮＳサーバ
２０  ＣＰＵ
２０Ａ  接続制御部
２０Ｂ  表示制御部
２０Ｃ  送信部
２１  ＲＯＭ
２２  ＲＡＭ
２３０  液晶ドライバ
２３１  液晶パネル
２４０  無線ＬＡＮモジュール
２４１  アンテナ
２５０  移動体通信モジュール
２５１  アンテナ
２６０  操作インタフェース
２５  情報読取部
２７  内部ストレージ部
２７０  内部ストレージ
２７１  内部ストレージインタフェース
３０  ＣＰＵ
３０Ａ  検出部
３０Ｂ  初期登録情報取得部
３０Ｃ  入力要求部
３０Ｄ  登録部
３０Ｅ  利用権限切替部
３１  ＲＯＭ
３２  ＲＡＭ
３３  ＨＤＤ部
３３０  ＨＤＤ
３３１  ＨＤＤインタフェース
３４  有線ＬＡＮモジュール
８０，８１  画面領域
８１ａ，８１ｂ  モード切替ボタン
【図１】
2018045490.tif 000003
【図２】
2018045490.tif 000004
【図３】
2018045490.tif 000005
【図４】
2018045490.tif 000006
【図５】
2018045490.tif 000007
【図６】
2018045490.tif 000008
【図７】
2018045490.tif 000009
【図８】
2018045490.tif 000010
【図９】
2018045490.tif 000011
【図１０】
2018045490.tif 000012
【図１１】
2018045490.tif 000013